(57)【要約】【課題】対物レンズ駆動装置の全体の傾き調整が容易な光ディスク装置を提供する。【解決手段】本システムは、光ピックアップ（ＰＵ）１、第１の信号処理部２、第２の信号処理部３、フィルター４、乗算部５、位相補償回路６、加振信号発生器７、チルト駆動回路８、フォーカシング・トラッキング（ＡＦ・ＴＲ）制御回路９、光ディスク１０を備える。第１の信号処理部２では、光ピックアップ１が光ディスク１０から読み取った信号を所定の信号（再生信号）に復調処理を行う。第２の信号処理部３では、第１の信号処理部２で復調された再生信号から、その再生信号の特性の優劣を示す信号、例えば、ジッター信号を作成する。そして、このジッター信号を基にチルト補正信号を作成して電力増幅し、対物レンズ駆動装置のチルト駆動コイルに所望の電流を印加する。【選択図】図１
2006244706.tif 000002
【特許請求の範囲】
【請求項１】
光ディスクから情報を読み取るまたは光ディスクに情報を記録する光ピックアップ部と、その光ピックアップ部内に配置された対物レンズをその光軸方向あるいは光ディスク半径方向あるいはその両方向に駆動・制御する制御手段と、前記光ディスクから前記光ピックアップ部が読み取った情報を処理し、再生信号を作成する第１の信号処理部とを有する光ディスク装置において、
前記対物レンズを前記光ディスクの半径方向あるいは接線方向あるいはその両方向に傾き動作させるチルト駆動コイル及び磁気回路からなる対物レンズ駆動手段と、そのチルト駆動コイルに駆動電流を印加させるチルト駆動回路と、前記第１の信号処理部から得られる再生信号の任意の特性の優劣を示す信号を生成する第２の信号処理部とを備え、
その第２の信号処理部から出力された信号を基に傾き補正信号を生成し、この傾き補正信号を前記チルト駆動回路を介して前記対物レンズ駆動手段に入力して、前記対物レンズの傾き量及び傾き方向を制御することを特徴とする光ディスク装置。
【請求項２】
請求項１記載において、前記第１の信号処理部から得られる再生信号の任意の特性が、前記再生信号の時間軸誤差を表すジッターであり、前記第２の信号処理部から出力される信号がジッター信号であることを特徴とする光ディスク装置。
【請求項３】
請求項１または請求項２記載において、前記第２の信号処理部から出力される信号から所望の周波数成分を取り出すフィルターを備えたことを特徴とする光ディスク装置。
【請求項４】
請求項１ないし請求項３のいずれかの記載において、前記チルト駆動コイルに一定周波数及び一定レベルの正弦波あるいは三角波あるいは矩形波を入力し、前記第２の信号処理部から出力された信号が小さくなる方向に前記チルト駆動コイルへの入力信号の直流成分または低周波数成分を増減することを特徴とする光ディスク装置。
【請求項５】
請求項１ないし請求項３のいずれかの記載において、前記チルト駆動コイルに可変周波数及び可変レベルの正弦波あるいは三角波あるいは矩形波を入力し、前記第２の信号処理部から出力された信号が小さくなる方向に前記チルト駆動コイルへの入力信号の直流成分または低周波数成分を増減することを特徴とする光ディスク装置。
【請求項６】
請求項４または請求項５記載において、前記第２の信号処理部から出力された信号あるいは前記フィルターから出力された信号と、前記チルト駆動コイルに入力される一定または可変の周波数・レベルを有する正弦波あるいは三角波あるいは矩形波信号あるいはその定数倍された信号とを乗算する乗算部を備え、その乗算部による乗算結果を前記対物レンズの傾き補正信号として前記チルト駆動コイルに入力することを特徴とする光ディスク装置。
【請求項７】
請求項６記載において、前記傾き補正信号を波形整形して前記チルト駆動コイルに入力することを特徴とする光ディスク装置。
【請求項８】
請求項４ないし請求項７のいずれかの記載において、前記対物レンズを傾動駆動する場合、前記チルト駆動コイルに入力する一定周波数・一定レベルの正弦波あるいは三角波あるいは矩形波の周波数を、光ディスク半径方向傾動用チルト駆動コイルと、光ディスク接線方向傾動用チルト駆動コイルとで異なる周波数としたことを特徴とする光ディスク装置。
【請求項９】
請求項８記載において、さらに前記第２の信号処理部から出力されるそれぞれの方向の出力信号が小さくなる方向に、それぞれの前記チルト駆動コイルへの入力信号の直流成分または低周波数成分を増減することを特徴とする光ディスク装置。
【請求項１０】
請求項７ないし請求項９のいずれかの記載において、前記第２の信号処理部から出力されるそれぞれの方向の出力信号をそれぞれバンドパス帯域の異なるバンドパスフィルターに入力し、そのそれぞれのバンドパスフィルターから出力されたジッター信号と、それぞれの前記チルト駆動コイルに入力される一定または可変の周波数・レベルを有する正弦波あるいは三角波あるいは矩形波信号あるいはその定数倍された信号とを乗算し、その乗算結果を前記対物レンズの傾き補正信号として、それぞれの前記チルト駆動コイルへ入力することを特徴とする光ディスク装置。
【請求項１１】
請求項７または請求項１０記載において、前記第２の信号処理部から出力される前記出力信号を基に前記チルト駆動コイルに入力される前記傾き補正信号の前記波形整形は、そのチルト制御帯域が前記光ディスクの回転周波数を含まない低周波数帯域となるように行われることを特徴とする光ディスク装置。
【請求項１２】
請求項７、請求項１０、請求項１１のいずれかの記載において、前記チルト駆動コイルに入力する一定周波数・一定レベルの正弦波あるいは三角波あるいは矩形波の周波数が、前記対物レンズの前記光ディスク半径方向への回転モードの振動の共振周波数以下であることを特徴とする光ディスク装置。
【発明の詳細な説明】
【技術分野】
【０００１】
本発明は光ディスク装置に係り、特に光ディスクから情報を読み取るまたは光ディスクに情報を記録する光ピックアップ部と、その光ピックアップ部内に配置された対物レンズをその光軸方向あるいは光ディスク半径方向あるいはその両方向に駆動・制御する制御手段と、前記光ディスクから前記光ピックアップ部が読み取った情報を処理し、再生信号を作成する第１の信号処理部とを備えた光ディスク装置に関するものである。
【背景技術】
【０００２】
光ディスク装置における光ディスクと対物レンズとの相対的な角度ずれ補正装置としては、例えば特開平６−２５１４０５号公報に記載のように、レンズホルダの光ディスク接線方向側面に、チルトコイルと、これらチルトコイルを電磁駆動可能にするマグネットとＵ字型ヨークと、レンズホルダを傾動可能に支持する弾性支持部材と、レンズホルダの上面に配置され対物レンズから放出されるビーム光軸と光ディスクの記録面との傾きを検出する一対の傾き検出器とを設け、傾き検出器から得られた傾き誤差信号に基づきチルトコイルに通電し、電磁駆動によりレンズホルダを傾動する装置が知られている。
【０００３】
図６は、その光ディスク装置の構成を示したものである。対物レンズ２１を保持したレンズホルダ２２と、フォーカシングコイル２３とトラッキングコイル２４ａ〜２４ｄとチルトコイル２５ａ〜２５ｄ及びマグネット２６ａ，２６ｂとヨーク２７ａ，２７ｂからなる磁気回路部とから構成され、対物レンズをフォーカシング方向（対物レンズの光軸方向）とトラッキング方向（対物レンズの光軸と直交する方向）とに駆動変位させる駆動手段と、対物レンズを光ディスク半径方向に傾動させる駆動手段と、レンズホルダを支持する複数の弾性支持部材と、その弾性支持部材の一端部が固定される固定部とを備えている。
【０００４】
フォーカシング制御時には、フォーカシングコイルに対して正あるいは逆方向に電流を流すことで、電磁力がフォーカシング方向に作用し、光ディスク記録面の面振れに対応して対物レンズを光軸方向に動作させ、光ビームのスポットを光ディスク記録面上に追従させることができる。トラッキング制御時には、各トラッキングコイルに正または逆の方向に電流を流すことで、電磁力が光ディスク半径方向に作用し、光ディスクのトラックの偏心・蛇行に対して光ビームのスポットを追従させることができる。
【０００５】
また、対物レンズの両側に配置された傾き検出器は、光ディスクと対物レンズとの相対角度が変化すると両検出器の出力差が生じるように構成されており、その出力差が小さくなるように、チルトコイルに駆動電流が印加される構成となっている。従って、常に光ディスクと対物レンズとの相対角度は略一定に保つことが可能になる。
【発明の開示】
【発明が解決しようとする課題】
【０００６】
近年、光ディスクの記録密度を上げるため、開口数の大きな対物レンズを使用する傾向がある。そのため、対物レンズと光ディスクとの相対角度ずれ量に対しては、厳しい精度が要求されている。特に、対物レンズが光ディスクの面振れ、光ディスク上のトラックの蛇行・偏心に追従して、上下左右に動作している最中でも、上記対物レンズの傾き角と光ディスクとの相対角度が理想的な状態に維持することが要求されている。また、光ディスク自身の持つ反りによる光ディスクと対物レンズとの相対角度変化に対しても、これを関知し補正することが必要となる。
【０００７】
図６に示す従来例では、対物レンズの両側に傾き検出器を配置し、かつ光ディスク半径方向に対物レンズを傾動させるチルトコイルを配置している。従って、光ディクスと対物レンズとの相対角度が変化すると、対物レンズの両側に配置された傾き検出器の出力信号に差が発生し、その出力差が小さくなるようにチルトコイルに駆動電流が印加される。
【０００８】
この駆動電流により対物レンズは傾動し、やがて対物レンズの両側に配置された傾き検出器の出力信号差が小さくなり、結果的に光ディスクと対物レンズとの機械的な相対角度は予め設定した角度と略等しくなる。
【０００９】
しかし、図６に示す従来技術の場合、傾き検出器を対物レンズの両側に配置する必要があるため、対物レンズ駆動装置の可動部（レンズホルダ）に前記傾き検出器を配置しなければならない。従って、可動部の重量増加となり、結果的に対物レンズ駆動装置の動特性が劣化する問題が発生する。
【００１０】
また、傾き検出器を駆動するために電源を供給し、かつ傾き信号を取り出すために、これら傾き検出器と傾き検出器の駆動回路が配置されている固定部間を導電性部材で配線する必要かある。従って、可動部と固定部とを弾性支持している弾性支持部材の他に、複数の線材を可動部−固定部間に配置しなければならない。その結果、生産性が悪化すると共に、対物レンズ駆動装置の動特性が劣化する問題も発生する。
【００１１】
さらに、対物レンズの両側に配置された２個の傾き検出器の出力を、予め光ディスクと対物レンズとの機械的な相対角度が最適な位置で一致するように調整する必要がある。これは実質的には、対物レンズ駆動装置の傾きの微調整作業であり、作業時間が増大する問題となる。
【００１２】
さらに、光ディスクと対物レンズとの相対角度の最適値は、光ディスクから読み取った信号の歪みが最小となるように決定されるものであって、単に光ディスクと対物レンズとの機械的な相対角度で決まるものではない。従って、従来技術では、本質的には光ディスクと対物レンズとの相対角度を最適にすることは出来ないという問題がある。
【００１３】
このように従来技術では、対物レンズ駆動装置の可動部の対物レンズの両側に配置した傾き検出器によって、光ディスクと対物レンズとの機械的な相対角度を一定に保つため、対物レンズ駆動装置の動特性が劣化し、組み立て作業性が悪く、調整のための組み立て作業時間が掛かり、かつそのようにして組み立てた光ディスク装置では、本質的に最適な光ディスクと対物レンズとの相対角度を実現することが出来ないという問題があった。
【００１４】
本発明は上記課題を解決するためになされたもので、光ディスク半径方向あるいは光ディスク接線方向あるいはその両方向について、光ディスクと対物レンズとの本質的に最適な相対角度を維持することが可能で、かつ対物レンズ駆動装置の動特性を劣化させることなく、かつ、対物レンズ駆動装置の組立性の悪化、組み立て時間の増大がなく、さらに、対物レンズ駆動装置の全体の傾き調整が容易な光ディスク装置を提供することを目的とするものである。
【課題を解決するための手段】
【００１５】
上記目的を達成するために、第１の手段は、光ディスクから情報を読み取るまたは光ディスクに情報を記録する光ピックアップ部と、その光ピックアップ部内に配置された対物レンズをその光軸方向あるいは光ディスク半径方向あるいはその両方向に駆動・制御する制御手段と、前記光ディスクから前記光ピックアップ部が読み取った情報を処理し、再生信号を作成する第１の信号処理部とを有する光ディスク装置において、
前記対物レンズを前記光ディスクの半径方向あるいは接線方向あるいはその両方向に傾き動作させるチルト駆動コイル及び磁気回路からなる対物レンズ駆動手段と、そのチルト駆動コイルに駆動電流を印加させるチルト駆動回路と、前記第１の信号処理部から得られる再生信号の任意の特性の優劣を示す信号を生成する第２の信号処理部とを備え、
前記第２の信号処理部から出力された信号を基に傾き補正信号を生成し、この傾き補正信号を前記チルト駆動回路を介して前記対物レンズ駆動手段に入力して、前記対物レンズの傾き量及び傾き方向を制御することを特徴とするものである。
【００１６】
また上記目的を達成するために、第２の手段は、第１の手段において、前記第１の信号処理部から得られる再生信号の任意の特性が、前記再生信号の時間軸誤差を表すジッターであり、前記第２の信号処理部から出力される信号がジッター信号であることを特徴とするものである。
【００１７】
また上記目的を達成するために、第３の手段は、第１または第２の手段において、前記第２の信号処理部から出力される信号から所望の周波数成分を取り出すフィルターを備えたことを特徴とするものである。
【００１８】
また上記目的を達成するために、第４の手段は、第１ないし第３の手段のいずれかにおいて、前記チルト駆動コイルに一定周波数及び一定レベルの正弦波あるいは三角波あるいは矩形波を入力し、前記第２の信号処理部から出力された信号が小さくなる方向に前記チルト駆動コイルへの入力信号の直流成分または低周波数成分を増減することを特徴とするものである。
【００１９】
また上記目的を達成するために、第５の手段は、第１ないし第３の手段のいずれかにおいて、前記チルト駆動コイルに可変周波数及び可変レベルの正弦波あるいは三角波あるいは矩形波を入力し、前記第２の信号処理部から出力された信号が小さくなる方向に前記チルト駆動コイルへの入力信号の直流成分または低周波数成分を増減することを特徴とするものである。
【００２０】
また上記目的を達成するために、第６の手段は、第４または第５の手段において、前記第２の信号処理部から出力された信号あるいは前記フィルターから出力された信号と、前記チルト駆動コイルに入力される一定または可変の周波数・レベルを有する正弦波あるいは三角波あるいは矩形波信号あるいはその定数倍された信号とを乗算する乗算部を備え、該乗算部による乗算結果を前記対物レンズの傾き補正信号として前記チルト駆動コイルに入力することを特徴とするものである。
【００２１】
また上記目的を達成するために、第７の手段は、第６の手段において、前記傾き補正信号を波形整形して前記チルト駆動コイルに入力することを特徴とするものである。
【００２２】
また上記目的を達成するために、第８の手段は、第４ないし第７の手段のいずれかにおいて、前記対物レンズを傾動駆動する場合、前記チルト駆動コイルに入力する一定周波数・一定レベルの正弦波あるいは三角波あるいは矩形波の周波数を、光ディスク半径方向傾動用チルト駆動コイルと、光ディスク接線方向傾動用チルト駆動コイルとで異なる周波数としたことを特徴とするものである。
【００２３】
また上記目的を達成するために、第９の手段は、第８の手段において、さらに前記第２の信号処理部から出力されるそれぞれの方向の出力信号が小さくなる方向に、それぞれの前記チルト駆動コイルへの入力信号の直流成分または低周波数成分を増減することを特徴とするものである。
【００２４】
また上記目的を達成するために、第１０の手段は、第７ないし第９の手段のいずれかにおいて、前記第２の信号処理部から出力されるそれぞれの方向の出力信号をそれぞれバンドパス帯域の異なるバンドパスフィルターに入力し、そのそれぞれのバンドパスフィルターから出力されたジッター信号と、それぞれの前記チルト駆動コイルに入力される一定または可変の周波数・レベルを有する正弦波あるいは三角波あるいは矩形波信号あるいはその定数倍された信号とを乗算し、その乗算結果を前記対物レンズの傾き補正信号として、それぞれの前記チルト駆動コイルへ入力することを特徴とするものである。
【００２５】
また上記目的を達成するために、第１１の手段は、第７または第１０の手段において、前記第２の信号処理部から出力される前記出力信号を基に前記チルト駆動コイルに入力される前記傾き補正信号の前記波形整形は、そのチルト制御帯域が前記光ディスクの回転周波数を含まない低周波数帯域となるように行われることを特徴とするものである。
【００２６】
また上記目的を達成するために、第１２の手段は、第７、第１０、第１１の手段のいずれかにおいて、前記チルト駆動コイルに入力する一定周波数・一定レベルの正弦波あるいは三角波あるいは矩形波の周波数が、前記対物レンズの前記光ディスク半径方向への回転モードの振動の共振周波数以下であることを特徴とするものである。
【発明の効果】
【００２７】
以上説明したように本発明は、第１の信号処理部から得られる再生信号の任意の特性の優劣を示す信号を生成する第２の信号処理部を有し、この第２の信号処理部から出力された信号を用いて対物レンズの光ディスクの半径方向あるいは接線方向あるいはその両方向の傾き量及び傾き方向を制御するように構成されている。
【００２８】
そのため高精度な対物レンズ駆動装置全体の傾き調整が不要となり、かつ、対物レンズ駆動装置の対物レンズを含む可動部に傾き検出器等を配置する必要がなく、かつ光ディスクと対物レンズとの相対的な角度を本質的に最適に常に維持することができ、常に光学的な歪みである収差の発生を小さく抑え、正確に光ディスクから信号を読み取りあるいは書き込みが可能となる光ディスク装置を提供することができる。
【発明を実施するための最良の形態】
【００２９】
以下、本発明の実施の形態を図面に基づいて説明する。図１は、本発明の第１の実施の形態に係る光ディスク装置のシステム構成図である。同図に示すシステムは、光ピックアップ（ＰＵ）１、第１の信号処理部２、第２の信号処理部３、フィルター４、乗算部５、位相補償回路６、加振信号発生器７、チルト駆動回路８、フォーカシング・トラッキング（ＡＦ・ＴＲ）制御回路９、光ディスク１０を備える。
【００３０】
光ピックアップ１には、チルト駆動コイルに通電することによって、対物レンズを、光ディスク半径方向、あるいは光ディスク接線方向、あるいはその両方向に傾動可能な対物レンズ駆動装置が配置されている。第１の信号処理部２では、光ピックアップ１が光ディスク１０から読み取った信号を所定の信号（再生信号）に復調処理を行う。第２の信号処理部３では、第１の信号処理部２で復調された再生信号から、その再生信号の特性の優劣を示す信号、例えば、ジッター信号を作成する。
【００３１】
フィルター４では、第２の信号処理部３で作成したジッター信号から所望の周波数成分を取り出す。乗算部５では、フィルター４から出力された信号と加振信号発生器７から出力される一定周波数・一定レベルの駆動信号とを乗算し、対物レンズのチルト補正信号を作成する。位相補償回路６では、チルト補正信号に位相遅れ進み補償を行い、チルト駆動回路８では、位相補償されたチルト信号を電力増幅し、対物レンズ駆動装置のチルト駆動コイルに所望の電流を印加する。
【００３２】
図２は、縦軸にジッター量、横軸に光ディスクと対物レンズとの相対角度ずれ量をとったときの一般的な関係を示したグラフである。ジッター量は、光ディスクと対物レンズとの最適な相対角度に対して、略左右対称の特性となっている。  図３は、図２に示すジッター量と、光ディスクと対物レンズとの相対角度ずれ量の関係において、対物レンズを一定周波数・一定レベルで傾動動作させた場合のジッター信号と対物レンズの傾動駆動信号との関係を示した概念図である。
【００３３】
次に図１〜図３を用いて、第１の実施の形態の光ディスク装置の動作を説明する。回転する光ディスク１０の面振れに追従し、対物レンズは対物レンズ駆動装置によってフォーカシング動作され、常にレーザ光のスポット位置を光ディスク記録面上に位置するよう制御されている。また、同時に光ディスク１０のトラックの蛇行・偏心に追従し、対物レンズはトラッキング動作され、常にレーザ光のスポット位置は目標トラック上に位置するように制御されている。
【００３４】
このようにして、常に目標トラック上にレーザ光のスポットを位置させることにより、光ピックアップ１は光ディスク１０から信号を読み取ることが可能となる。しかし、対物レンズと光ディスク１０との相対角度にずれが生じると、光学的な歪みである収差が発生し、正確に光ディスク１０から信号を読み取ることがと困難になる。
【００３５】
ＡＦ・ＴＲ制御回路９によりフォーカシング制御及びトラッキング制御が正常に行われている状態において、加振信号発生器７から出力される一定周波数・一定レベルの信号を対物レンズ駆動装置のチルト駆動コイルに入力すると、対物レンズは傾動動作を行い、その結果、対物レンズと光ディスク１０との相対角度は、一定周波数で一定レベル変化する。
【００３６】
一方、図２に示すように、光ディスク１０と対物レンズとの相対角度が変化すると、その相対角度ずれ量に応じて第１の信号処理部２で作成された光ディスク１０から読み取った信号を復調した信号にジッターが発生する。このジッター信号は、第１の信号処理部２で復調した信号を基に第２の信号処理部３で生成される。  この第２の信号処理部３で作成されたジッター信号は、多数の周波数成分を含んでおり、このままでは、以降のチルト制御に利用しにくいため、フィルター４にて必要な周波数成分のみを抜き取る操作を行う。このときの必要な周波数成分とは、対物レンズ駆動装置のチルト駆動コイルに印加される信号周波数（加振信号発生器７の周波数）を中心にした成分であり、数十から数百ヘルツの範囲の周波数成分である。
【００３７】
また、ジッターは、図３に示すように、光ディスク１０と対物レンズとの相対角度ずれの方向によって極性が反転する性質を有している。即ち、図３のＡ側に光ディスク１０と対物レンズとの相対角度がずれている場合、対物レンズ駆動装置のチルト駆動コイルに印加される信号とジッター信号との極性は同符号となるため、両者の信号を乗算すると、その結果は常に正の値を持つ結果となる。また、その大きさは図２、図３から明らかなように、光ディスク１０と対物レンズとの相対角度ずれが大きいほど大きくなる。
【００３８】
反対に、図３のＢ側に光ディスク１０と対物レンズとの相対角度がずれている場合、対物レンズ駆動装置のチルト駆動コイルに印加される信号とジッター信号との極性は逆符号となるため、両者の信号を乗算すると、その結果は常に負の値を持つ結果となる。また、その大きさは、Ａ側時と同様に、光ディスク１０と対物レンズとの相対角度ずれが大きいほど大きくなる。
【００３９】
従って、ジッター信号とチルト駆動信号との乗算結果に位相遅れ進み補償を行い、チルト駆動回路８を経由してチルト駆動コイルに適切な電流を印加することにより、常に対物レンズと光ディスク１０との相対角度は最適な状態になるように制御される。
【００４０】
このように、第１の実施の形態による光ディスク装置では、光ディスク１０と対物レンズとの相対角度がずれることによって生じる第２の信号処理部３の出力信号のジッター量が最も小さくなるように対物レンズの傾きを制御するため、本質的に対物レンズと光ディスク１０との相対角度を最適に維持することが可能となる。
【００４１】
また、従来技術のように、対物レンズの両側に傾き検出器を配置する必要がないので、対物レンズ駆動装置の可動部の重量増大を防ぐことができ、対物レンズ駆動装置の動特性を劣化させることがない。さらに、対物レンズ駆動装置の対物レンズを含む可動部に傾き検出器用の配線をする必要もないので、対物レンズ駆動装置の動特性の劣化は勿論、組立て作業性についても悪化することがない。
【００４２】
さらに、従来技術のように、２個の傾き検出器の出力量の微調整をする必要がないので、組み立て作業時間が増大することもない。また、光ディスク１０から読み取る信号のジッター量が最小になるように、常に対物レンズの傾き量・方向が制御されるので、対物レンズ駆動装置を光ピックアップ１に搭載するときに必要であった、高い精度を要求される対物レンズ駆動装置全体の傾き調整をラフにすることが可能となり、従来より組み立て性が向上し、かつ対物レンズ駆動装置の取り付け構造の簡略化が可能となる。
【００４３】
図４は、本発明の第２の実施形態に係る光ディスク装置のシステム構成図である。図４に示すシステムは、図１に示すシステムからフィルター４を省いたものである。即ち、第２の実施形態では、第２の信号処理部３で作成したジッター信号を直接、乗算部５に入力し、対物レンズの傾き量・方向を制御している。本実施形態においても、第１の実施形態と同じ効果を得られることは言うまでもない。
【００４４】
図５は、本発明の第３の実施形態に係る光ディスク装置のシステム構成図である。第３の実施形態は、対物レンズの傾き量・方向の制御を、光ディスク半径方向と光ディスク接線方向の両方向について行った例を示している。この場合、対物レンズを傾動させる駆動信号の周波数を、光ディスク半径方向と光ディスク接線方向とで異なる周波数とし、それぞれ、独自の周波数のチルト駆動信号で駆動させる。
【００４５】
従って、フィルター４のバンドパス帯域も両方向でそれぞれ異なった特性を有している。これは同一周波数で対物レンズを傾動駆動すると、どちらの方向に対物レンズを傾けるとジッターが小さくなるのか判別不可能となるためであり、両方向について同時に本発明を適用する場合、必ず加振信号発生器７の周波数及びフィルター４のバンドパス帯域を分離する必要がある。
【００４６】
このため、図５に示すように、第１のフィルター４ａ、第１の乗算部５ａ、第１の位相補償回路６ａ、第１の加振信号発生器７ａ、第１のチルト駆動回路８ａの系統と、第２のフィルター４ｂ、第２の乗算部５ｂ、第２の位相補償回路６ｂ、第２の加振信号発生器７ｂ、第２のチルト駆動回路８ｂの系統との２系統を用意する。このようにして構成される本実施形態においても、第１の実施形態と同じ効果が得られることは言うまでもない。
【図面の簡単な説明】
【００４７】
【図１】本発明の第１の実施形態に係る光ディスク装置のシステム構成図である。
【図２】ジッターエラー量と、光ディスクと対物レンズの相対角度ずれ量との一般的な関係を示した図である。
【図３】対物レンズを一定周波数・一定レベルで傾動動作させた場合のジッターエラー信号と傾動駆動信号との関係を示した図である。
【図４】本発明の第２の実施形態に係る光ディスク装置のシステム構成図である。
【図５】本発明の第３の実施形態に係る光ディスク装置のシステム構成図である。
【図６】従来の光ディスク装置の一例を示した分解斜視図である。
【符号の説明】
【００４８】
１  光ピックアップ
２  第１の信号処理部
３  第２の信号処理部
４  フィルター
５  乗算部
６  位相補償器
７  加振信号発生器
８  チルト駆動回路
９  フォーカシング・トラッキング制御回路
１０  光ディスク
【図１】
2006244706.tif 000003
【図２】
2006244706.tif 000004
【図３】
2006244706.tif 000005
【図４】
2006244706.tif 000006
【図５】
2006244706.tif 000007
【図６】
2006244706.tif 000008
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
光ディスクから情報を読み取る、又は、前記光ディスクに情報を記録する光ディスク装置であって、
前記光ディスクに光ビームを集光させる対物レンズと、該対物レンズを傾き動作させるチルト駆動コイル及び磁気回路を含む対物レンズ駆動手段とを有する光ピックアップ部と、
前記光ピックアップ部が前記光ディスクから読み取った情報から再生信号を作成する第１の信号処理部と、
前記チルト駆動コイルに駆動電流を印加させるチルト駆動回路と、
前記第１の信号処理部から得られる再生信号から任意の特性の優劣を示す信号を生成する第２の信号処理部とを備え、
前記第２の信号処理部の出力信号から、傾き補正信号を生成し、該傾き補正信号を、前記チルト駆動回路を介して前記対物レンズ駆動手段に入力して、前記対物レンズの傾き量及び傾き方向を制御することを特徴とする光ディスク装置。
【請求項２】
光ピックアップであって、
光ビームを光ディスク上に集光させる対物レンズと、
前記光ディスクから読み出された信号に基づいて前記対物レンズを傾動する対物レンズ駆動手段とを備える光ピックアップ。
【請求項３】
前記対物レンズ駆動手段は、前記光ディスクの半径方向と接線方向に傾動させるときに、互いに異なる周波数のチルト駆動信号を用いて前記対物レンズを駆動させる請求項２に記載の光ピックアップ。